(57)【要約】【課題】動画記録中に静止画撮影が可能な撮像装置であって、動画記録中に撮影可能な静止画枚数を使用者に好適に通知できる撮像装置を提供する。【解決手段】撮像装置は、動画撮影動作中に静止画撮影が可能であって、表示部（１２３）と、使用者からの指示を受け付ける操作部（１５０）と、動画撮影動作中において操作部が所定の指示を受け付けたときに、記録可能な静止画データの枚数に関する情報を表示部に表示させる制御部（１３０）とを備える。【選択図】図１
2011217369.tif 000002
【特許請求の範囲】
【請求項１】
動画撮影動作中に静止画撮影が可能な撮像装置であって、
表示部と、
使用者からの指示を受け付ける操作部と、
動画撮影動作中において前記操作部が所定の指示を受け付けたときに、記録可能な静止画データの枚数に関する情報を前記表示部に表示させる制御部と、
を備えた撮像装置。
【請求項２】
前記制御部は、動画撮影動作中において前記操作部が所定の指示を受け付ける前は前記表示部に動画記録可能時間に関する情報を表示し、前記操作部が所定の指示を受け付けたときに、前記表示部に表示する情報を、記録可能時間に関する情報から記録可能な静止画データの枚数に関する情報に切り替える、
請求項１記載の撮像装置。
【請求項３】
前記制御部は、記録可能な静止画データの枚数が０であるときには、静止画の撮影が不可能であることを示す画像情報を前記表示部に表示させる、請求項１記載の撮像装置。
【請求項４】
動画撮影動作中に撮影された静止画データを一時的に記録するバッファメモリと、
前記バッファメモリに記録された静止画データを所定の記録媒体に記録する記録部とをさらに備え、
前記記録可能な静止画データの枚数は、前記バッファメモリに記録可能な静止画データの枚数である、
請求項１記載の撮像装置。
【請求項５】
前記所定の指示はレリーズ釦の半押し操作による指示である、請求項１記載の撮像装置。
【請求項６】
前記制御部は、記録可能な静止画データの枚数に関する情報を所定時間だけ前記表示部に表示させる、請求項１記載の撮像装置。
【請求項７】
動画撮影動作中に静止画撮影が可能な撮像装置における情報表示方法であって、
撮像装置の動画記録動作を開始し、
動画撮影動作中において撮像装置の操作部を介して所定の指示を受け付けたときに、記録可能な静止画データの枚数に関する情報を撮像装置の表示部に表示する、
情報表示方法。
【請求項８】
動画撮影動作中において、前記所定の指示を受け付ける前は、前記表示部に動画記録可能時間に関する情報を表示し、前記所定の指示を受け付けたときに、前記表示部に表示する情報を、前記記録可能時間に関する情報から前記記録可能な静止画データの枚数に関する情報に切り替える、
請求項７記載の情報表示方法。
【請求項９】
さらに、記録可能な静止画データの枚数が０であるときには、静止画の撮影が不可能であることを示す画像情報を前記表示部に表示させる、請求項７記載の情報表示方法。
【請求項１０】
さらに、動画撮影動作中に撮影された静止画データを一時的にバッファメモリに記録し、その後、前記バッファメモリに記録された静止画データを所定の記録媒体に記録し、
前記記録可能な静止画データの枚数は、前記バッファメモリに記録可能な静止画データの枚数である、
請求項７記載の情報表示方法。
【請求項１１】
前記所定の指示はレリーズ釦の半押し操作による指示である、請求項７記載の情報表示方法。
【請求項１２】
前記記録可能な静止画データの枚数に関する情報を、所定時間だけ前記表示部に表示させる、請求項７記載の情報表示方法。
【請求項１３】
動画撮影動作中に静止画撮影が可能な撮像装置の制御プログラムであって、
撮像装置の制御手段に、
撮像装置の動画記録動作を開始する機能と、
動画撮影動作中において撮像装置の操作部を介して所定の指示を受け付けたときに、記録可能な静止画データの枚数に関する情報を表示部に表示する機能と
を実行させる、プログラム。
【発明の詳細な説明】
【技術分野】
【０００１】
本発明は、動画記録機を備えた撮像装置であって、特に、動画記録中に静止画撮影が可能な撮像装置に関する。
【背景技術】
【０００２】
撮像装置において、動画記録中において静止画撮影を可能とする機能を有するものがある。このような撮像装置を用いて動画記録中に静止画を撮影する場合、撮影可能な静止画の枚数の情報は、使用者にとって非常に有用な情報となる。例えば、特許文献１は、動画記録中において、動画記録中の静止画の撮影可能枚数を示すアイコンを表示する撮像装置を開示している。
【０００３】
また、動画記録中において、動画記録時間や動画記録可能な残り時間の情報も使用者にとっては有用な情報であり、動画記録中にこれらの情報を表示する撮像装置は一般的に知られている。
【先行技術文献】
【特許文献】
【０００４】
【特許文献１】特開２００７−１４２７９３号公報
【発明の概要】
【発明が解決しようとする課題】
【０００５】
動画記録中に静止画撮影が可能な撮像装置では、動画と静止画の双方を随時切り替えて撮影することができることから、動画記録に関する情報と静止画記録に関する情報の双方が使用者にとって有用な情報となる。しかしながら、撮像装置の表示部の画面サイズは一般に小さいことから、それらの情報を同時に撮像装置の表示部に表示した場合、画面上に多くの情報が表示され、表示部上での被写体の視認性が低下し、使用者の利便性が損なわれるという問題がある。
【０００６】
そこで、動画記録中に静止画撮影を可能な撮像装置において、使用者の利便性を損なわずに、撮影可能枚数等に関する情報を使用者に提示することが望まれる。
【０００７】
本発明は、上記課題を鑑みてなされたものであり、動画記録中に静止画撮影が可能な撮像装置であって、動画記録中に撮影可能な静止画枚数を使用者に好適に通知できる撮像装置を提供することを目的とする。
【課題を解決するための手段】
【０００８】
本発明の第１の態様において、動画撮影動作中に静止画撮影が可能な撮像装置が提供される。撮像装置は、表示部と、使用者からの指示を受け付ける操作部と、動画撮影動作中において操作部が所定の指示を受け付けたときに、記録可能な静止画データの枚数に関する情報を前記表示部に表示させる制御部と、を備える。
【０００９】
本発明の第２の態様において、動画撮影動作中に静止画撮影が可能な撮像装置における情報表示方法が提供される。情報表示方法は、撮像装置の動画記録動作を開始し、動画撮影動作中において撮像装置の操作部を介して所定の指示を受け付けたときに、記録可能な静止画データの枚数に関する情報を撮像装置の表示部に表示する。
【発明の効果】
【００１０】
本発明の撮像装置によれば、動画記録中に使用者から所定の指示があったときに静止画の撮影可能枚数を表示する。このため、使用者は、所望のタイミングで静止画の撮影可能枚数の情報を認識することができる。
【図面の簡単な説明】
【００１１】
【図１】デジタルカメラ１００の電気的構成図
【図２】デジタルカメラ１００の背面構成図
【図３】動画撮影開始から終了までの状態遷移図
【図４】動画撮影開始から終了までの処理の流れを示すフローチャート
【発明を実施するための形態】
【００１２】
１．実施の形態１
以下に説明するデジタルカメラは、動画記録開始時に動画撮影画面を液晶ディスプレイに表示し、使用者が動画記録中に静止画を撮影した時に、静止画の情報をバッファメモリに保持する。保持した静止画の情報は、動画記録終了時に、メモリカードなどの記録媒体に出力される。以下、デジタルカメラの構成および動作の詳細を説明する。
【００１３】
１−１．構成
１−１−１．デジタルカメラの構成
図１を用いて、本実施形態のデジタルカメラの構成を説明する。デジタルカメラ１００は、光学系１１０を介して形成された被写体像をＣＣＤイメージセンサ１２０で撮像する。ＣＣＤイメージセンサ１２０は撮像した被写体像に基づく画像データを生成する。撮像により生成された画像データは、前処理部（ＡＦＥ：Ａｎａｌｏｇ  Ｆｒｏｎｔ  Ｅｎｄ）１２１や画像処理部１２２において各種処理が施される。画像データはフラッシュメモリ１４２やメモリカード１４０に記憶される。フラッシュメモリ１４２やメモリカード１４０に記憶された画像データは、使用者による操作部１５０の操作を受け付けて液晶ディスプレイ（ＬＣＤ）１２３上に再生表示される。
【００１４】
光学系１１０は、フォーカスレンズ１１１、ズームレンズ１１２、絞り１１３、シャッタ１１４等を含む。光学系１１０は、光学式手ぶれ補正レンズＯＩＳ（Ｏｐｔｉｃａｌ  Ｉｍａｇｅ  Ｓｔａｂｉｌｉｚｅｒ）を含んでいてもよい。なお、光学系１１０を構成する各種レンズは何枚から構成されるものでも、何群から構成されるものでもよい。
【００１５】
フォーカスレンズ１１１は焦点距離の調節に用いられる。ズームレンズ１１２は拡大縮小倍率の調節に用いられる。絞り１１３は、ＣＣＤイメージセンサ１２０に入射する光量の調節に用いられる。シャッタ１１４は、ＣＣＤイメージセンサ１２０に入射する光の露出時間を調節する。フォーカスレンズ１１１、ズームレンズ１１２、絞り１１３、シャッタ１１４は、それぞれに対応したＤＣモータやステッピングモータ等の駆動手段（不図示）を有している。それらの駆動手段は、コントローラ１３０から通知された制御信号に従って駆動される。
【００１６】
ＣＣＤイメージセンサ１２０は光学系１１０を通して形成された被写体像を撮像して画像データを生成する。ＣＣＤイメージセンサ１２０は、一定時間ごとに新しいフレームの画像データを生成する。また、ＣＣＤイメージセンサ１２０は電子シャッタ動作により露出光量を調節できる。
【００１７】
前処理部（ＡＦＥ）１２１は、ＣＣＤイメージセンサ１２０で生成された画像データに対して、相関二重サンプリング、ゲイン調整等の処理を実行する。また、アナログ形式の画像データからデジタル形式の画像データへの変換を行う。その後、前処理部１２１は画像データを画像処理部１２２に出力する。
【００１８】
画像処理部１２２は、画像データに対して各種の処理を施す。各種処理は、ガンマ補正、ホワイトバランス補正、ＹＣ変換処理、電子ズーム処理、圧縮処理、伸張処理等を含むが、これらに限定されるものではない。また、それらの処理の一部を欠いてもよい。画像処理部１２２は、ハードワイヤードな電子回路で構成してもよいし、プログラムを用いたマイクロコンピュータなどで構成してもよい。またコントローラ１３０などとともに１つの半導体チップで構成してもよい。
【００１９】
コントローラ１３０は、デジタルカメラ１００全体の動作を統括制御する。コントローラ１３０は、プログラム等の情報を格納するＲＯＭ（不図示）や、プログラムを実行することにより各種の処理を行うＣＰＵ（不図示）などにより構成される。ＲＯＭは、フォーカス制御や露出制御に関するプログラムの他、デジタルカメラ１００全体の動作を統括制御するためのプログラムを格納している。
【００２０】
コントローラ１３０は、ハードワイヤードな電子回路で構成してもよいし、マイクロコンピュータなどで構成してもよい。また、画像処理部１２２などと共に１つの半導体チップ上に構成してもよい。また、ＲＯＭはコントローラ１３０の内部に設ける必要はなく、コントローラ１３０の外部に設けてもよい。
【００２１】
バッファメモリ１２４は、画像処理部１２２やコントローラ１３０のワークメモリとして機能する記憶手段である。バッファメモリ１２４はＤＲＡＭ（Ｄｙｎａｍｉｃ  Ｒａｎｄｏｍ  Ａｃｃｅｓｓ  Ｍｅｍｏｒｙ）などで実現できる。
【００２２】
フラッシュメモリ１４２は、画像データ等を記憶するための内部メモリとして機能する。コントローラ１３０は、画像処理部１２２で処理される画像データをフラッシュメモリ１４２あるいはメモリカード１４０に記憶する。
【００２３】
カードスロット１４１は、メモリカード１４０を装着可能な接続手段である。カードスロット１４１は、メモリカード１４０を電気的及び機械的に接続可能である。カードスロット１４１はメモリカード１４０を制御する機能を備えてもよい。
【００２４】
メモリカード１４０は、内部にフラッシュメモリ等の記憶部を備えた外部メモリである。メモリカード１４０は、画像処理部１２２で処理される画像データなどのデータを記憶可能である。以下、本実施の形態では画像データなどのデータをメモリカード１４０に記憶するものとして説明する。また本実施の形態では、外部メモリの一例としてメモリカード１４０を示すが、外部メモリはこれには限らない。例えば、光ディスク等の記憶媒体を外部メモリとして使用してもよい。
【００２５】
操作部１５０は、デジタルカメラ１００の外装に備わっている操作釦や操作ダイヤルの総称であり、使用者による操作を受け付ける。操作部１５０は、例えば、図２に示すような、レリーズ釦２０１、ズームダイヤル２０２、電源釦２０４、動画釦２０７などを含む。操作部１５０は使用者による操作を受け付けると、コントローラ１３０に、操作に応じて動作指示信号を通知する。
【００２６】
液晶ディスプレイ１２３は、デジタルカメラ１００の背面に備わる。液晶ディスプレイ１２３は、画像処理部１２２にて処理された画像データに基づく画像を表示する。液晶ディスプレイ１２３が表示する画像には、スルー画像や記録画像がある。スルー画像は、ＣＣＤイメージセンサ１２０により一定時間ごとに生成される新しいフレームの画像を連続して表示する画像である。使用者は、液晶ディスプレイ１２３に表示されるスルー画像を参照することにより、被写体の構図を確認しながら撮影できる。記録画像は、メモリカード１４０やフラッシュメモリ１４２に記録された画像である。液晶ディスプレイ１２３は、使用者の操作に応じて、記録された画像データに基づく画像を表示（再生）する。また、液晶ディスプレイ１２３は、画像の他、デジタルカメラ１００の設定条件等を表示可能である。
【００２７】
１−１−２．用語の対応
液晶ディスプレイ１２３は表示部の一例である。コントローラ１３０は記録部及び制御部の一例である。デジタルカメラ１００は撮像装置の一例である。フラッシュメモリ１４２やメモリカード１４０は記録媒体の一例である。
【００２８】
１−２．動作
デジタルカメラ１００の動作について説明する。なお、以下では、動画撮影動作に関連しない動作（例えば、待機状態からの静止画撮影動作、画像データの再生動作、各種設定動作、等）についての説明は省略する。
【００２９】
本実施形態のデジタルカメラ１００は、動画撮影動作中に静止画を撮影することができる機能を有する。デジタルカメラ１００は、動画撮影動作中に静止画撮影動作を行う場合、撮影した静止画データをバッファメモリ１２４に一時的に記録しておき、動画撮影動作終了時に、バッファメモリ１２４から静止画データを読み出してメモリカード１４０に記録する。このようなバッファメモリ１２４からの静止画データの転送を考慮し、動画撮影開始時に、バッファメモリ１２４に記録し得る静止画データの最大データ量分の記録領域をメモリカード１４０内に確保しておく必要がある。本実施の形態のデジタルカメラ１００では、動画記録中における静止画の撮影可能枚数の最大値を４０枚とする。よって、動画記録開始時において、メモリカード１４０の残容量から４０枚分の静止画データに相当するデータ量を減じた容量が、動画記録に使用できる容量となる。その容量に基づき、メモリカード１４０への動画記録が可能な時間を算出する。
【００３０】
１−２−１．動画撮影動作に関するデジタルカメラの種々の状態
最初に、動画撮影動作に関して取り得るデジタルカメラ１００の種々の状態について説明する。図３に、デジタルカメラ１００の動画撮影動作時の状態遷移図を示す。図３では、液晶ディスプレイ１２３に表示される種々の状態の画面の例が示されている。本実施形態のデジタルカメラ１００は以下の６つの状態を取り得る。
１）撮影待機状態Ｄ７００
２）動画記録中状態Ｄ７０１（静止画撮影可）
３）動画記録終了状態Ｄ７０２
４）動画記録中の半押下状態Ｄ７０３
５）静止画記録中状態Ｄ７０４
６）動画記録中状態Ｄ７０５（静止画撮影不可）
【００３１】
撮影待機状態Ｄ７００は、使用者のレリーズ釦２０１押下による静止画撮影開始指示、もしくは動画釦２０７押下による動画記録開始指示を待っている状態である。撮影待機状態Ｄ７００において、使用者により動画釦２０７が押下されると、メモリカード１４０の残容量が動画記録可能な容量以上あるか否かの判定などの動画記録開始条件をチェックする。動画記録開始条件を満たしている場合にのみ、デジタルカメラ１００は、動画記録中状態Ｄ７０１へ遷移する。
【００３２】
動画記録中状態Ｄ７０１は、デジタルカメラ１００が動画記録動作を行っている状態である。動画記録中状態Ｄ７０１では、デジタルカメラ１００は、動画記録可能時間および動画記録時間を液晶ディスプレイ１２３に表示する。
【００３３】
動画記録可能時間とは、メモリカード１４０への動画記録が可能な時間である。動画記録可能時間の初期値は、メモリカード１４０の残容量から、動画記録中におけるバッファメモリ１２４での静止画の最大撮影可能枚数分の容量を減算した値を、ビットレートで割った値に設定される。図３に示す動画記録中状態Ｄ７０１における、”Ｒ２ｈ０５ｍ４２ｓ”（２時間５分４２秒）の表示３０１が動画記録可能時間の表示である。また、動画記録時間とは、動画記録開始から経過した時間である。図３に示す動画記録中状態Ｄ７０１における”１ｍ０３ｓ”（１分３秒）の表示３０２が動画記録時間の表示である。
【００３４】
動画記録開始以降、使用者による動画釦２０７の再押下、メモリカード１４０の残容量が無くなった場合、もしくは撮影モードから他のモードへの移行などの動画記録終了条件が満たされるまで、デジタルカメラ１００は動画記録を続ける。
【００３５】
動画記録中状態Ｄ７０１において使用者によりレリーズ釦２０１が半押下されると、デジタルカメラ１００は動画記録中の半押下状態Ｄ７０３に遷移する。
【００３６】
動画記録中の半押下状態Ｄ７０３では、静止画撮影のための写真画素数および静止画撮影可能枚数を液晶ディスプレイ１２３に表示する。写真画素数とは、静止画を撮影する際の設定画素数であり、図３に示す半押下状態Ｄ７０３における”１２Ｍ”（約１２００万画素）の表示３０３が写真画素数の表示である。静止画撮影可能枚数は、動画記録中に撮影可能な静止画の残り枚数であり、図３に示す半押下状態Ｄ７０３における、”残８枚”の表示３０４が静止画撮影可能枚数として表示されている。図３に示すように、液晶ディスプレイ１２３が写真画素数および静止画撮影可能枚数を表示する場合、動画記録可能時間および動画記録時間は非表示にする。
【００３７】
動画記録中の半押下状態Ｄ７０３にて、使用者がレリーズ釦２０１を解放（全く押下しない）した場合、デジタルカメラ１００は動画記録中状態Ｄ７０１に遷移し、液晶ディスプレイ１２３に動画記録可能時間および動画記録時間を再度表示する。液晶ディスプレイ１２３が動画記録可能時間および動画記録時間を表示する場合、静止画撮影のための写真画素数および静止画撮影可能枚数は非表示にする。このように、デジタルカメラ１００は、その状態に応じて、写真画素数と静止画撮影可能枚数の組み合わせ、および、動画記録可能時間と動画記録時間の組み合わせのうちのいずれかを表示するよう構成されている。このような表示制御は動画記録中において常時行われる。
【００３８】
また、動画記録中状態Ｄ７０１もしくは動画記録中の半押下状態Ｄ７０３にて、使用者がレリーズ釦２０１を全押下した場合（すなわち、静止画撮影を指示した場合）、デジタルカメラ１００は静止画記録中状態Ｄ７０４に遷移する。静止画記録中状態Ｄ７０４に遷移後、デジタルカメラ１００は、静止画を撮影し、静止画の情報をバッファメモリ１２４に記録する。これに伴いコントローラ１３０は、静止画撮影可能枚数を更新して液晶ディスプレイ１２３に表示する。その後、デジタルカメラ１００は液晶ディスプレイ１２３上に、静止画の写真画素数と撮影可能枚数を一定時間表示し続ける。
【００３９】
静止画記録中状態Ｄ７０４で、静止画撮影可能枚数を一定時間表示後、デジタルカメラ１００は、静止画撮影可能枚数が１枚以上の場合、動画記録中状態Ｄ７０１に遷移し、静止画撮影可能枚数が０枚の場合、静止画撮影不可アイコンを表示した動画記録中状態Ｄ７０５に遷移し、動画記録可能時間および動画記録時間を液晶ディスプレイ１２３に表示する。図３に示すように、動画記録中状態Ｄ７０５では、液晶ディスプレイ１２３に静止画撮影不可アイコン３０５が表示される。このアイコン３０５により使用者はこれ以上静止画撮影ができないことを容易に確認できる。
【００４０】
動画記録中状態Ｄ７０１もしくは動画記録中状態Ｄ７０５で、上述した動画記録終了条件を満たした場合、デジタルカメラ１００は動画記録終了状態Ｄ７０２に遷移し、動画記録の終了処理を行う。動画記録の終了処理には、バッファメモリ１２４に一時的に記録されており未だメモリカード１４０に記録されていない動画の情報や静止画の情報をメモリカード１４０に出力する処理や、液晶ディスプレイ１２３に静止画撮影不可アイコンが表示設定されている場合にこれを非表示設定する処理、等が含まれる。動画記録終了状態Ｄ７０２で動画記録終了処理が完了すると、デジタルカメラ１００は再度、撮影待機状態Ｄ７００に遷移する。
【００４１】
１−２−２．デジタルカメラの動画撮影時の動作フロー
図４は、デジタルカメラ１００の動画撮影時の動作フローチャートである。撮影待機状態Ｄ７００において、コントローラ１３０は、使用者により動画釦２０７が押下されるまで待機している。図４に示すフローチャートは、撮影待機状態Ｄ７００において使用者により動画釦２０７が押下されたときに実行される動作を示している。
【００４２】
撮影待機状態Ｄ７００において動画釦２０７が押下されると、コントローラ１３０はメモリカード１４０の残容量などから動画記録が可能であるか否かを判定する（Ｓ８０１）。容量不足等により動画記録が不可能と判定された場合、コントローラ１３０は動画撮影動作を開始せず、本処理を終了し、撮影待機状態Ｄ７００を維持する。
【００４３】
一方、動画記録が可能であると判定された場合、コントローラ１３０は液晶ディスプレイ１２３に動画記録画面を表示し、静止画の撮影可能枚数を初期化する。本例では、静止画の撮影可能枚数を４０に初期化する。またコントローラ１３０は、各処理部を制御して動画記録を開始させると共に、デジタルカメラ１００を動画記録中状態Ｄ７０１に遷移させる（Ｓ８０２）。なお、動画記録動作は、図４のフローチャートに示す処理と並行して、動画記録終了処理が行われるまで実行される。
【００４４】
その後、コントローラ１３０は、この時点でのメモリカード１４０の残容量に基づいて動画記録可能時間および動画記録時間を更新し、液晶ディスプレイ１２３に表示する（Ｓ８０３）。なお、動画記録を開始後、コントローラ１３０は、ステップＳ８０３以降の処理を一定の周期で繰り返す。一定の周期は例えば１／６０秒である。また、動画記録可能時間および動画記録時間のいずれか一方のみが表示されてもよい。
【００４５】
コントローラ１３０は次に、動画記録終了条件を判定する（Ｓ８０４）。動画記録終了条件が満たされた場合は（ステップＳ８０４でＹＥＳ）、デジタルカメラ１００は動画記録終了状態Ｄ７０２に遷移し、動画記録の終了処理を実行する（Ｓ８１４）。動画記録の終了処理には、バッファメモリ１２４からメモリカード１４０に静止画データを転送する処理や、液晶ディスプレイ１２３上に静止画撮影不可アイコンが表示されている場合、静止画撮影不可アイコンを非表示に設定する処理が含まれる。その後、コントローラ１３０は、デジタルカメラ１００を撮影待機状態Ｄ７００に遷移させる（Ｓ８１５）。
【００４６】
一方、動画記録終了条件が満たされない場合（ステップＳ８０４でＮＯ）、コントローラ１３０は、静止画撮影可能枚数Ｘに基づき静止画の撮影が可能であるか否かを判定する（Ｓ８０５）。具体的には、静止画撮影可能枚数Ｘが０より大きい場合、静止画撮影が可能であると判定する。
【００４７】
静止画撮影が不可能であると判定された場合（ステップＳ８０５でＮＯ）、コントローラ１３０は、液晶ディスプレイ１２３に静止画撮影不可アイコンを表示させ、デジタルカメラ１００を、静止画撮影不可アイコンが付加した動画記録中状態Ｄ７０５に遷移させ（Ｓ８０６）、ステップＳ８０３に戻る。一方、静止画撮影が可能であると判定された場合（ステップＳ８０５でＹＥＳ）、コントローラ１３０は、レリーズ釦２０１が半押下しされたか否かを判定する（Ｓ８０７）。
【００４８】
レリーズ釦２０１が半押下しされたと判定されると（ステップＳ８０７でＹＥＳ）、コントローラ１３０は、デジタルカメラ１００を動画記録中の半押下状態Ｄ７０３に遷移させ、液晶ディスプレイ１２３上に、静止画の写真画素数と撮影可能枚数を表示する（Ｓ８０８）。なお、このとき、静止画の写真画素数と撮影可能枚数のいずれか一方のみが表示されてもよい。その後、一定の周期で、レリーズ釦２１０の半押しを判定する（ステップＳ８０７）。
【００４９】
一方、レリーズ釦２０１が半押下しされてないと判定されると（ステップＳ８０７でＮＯ）、コントローラ１３０は、レリーズ釦２０１が全押しされたか否かを判定する（Ｓ８０９）。
【００５０】
レリーズ釦２０１が全押下しされたと判定されると（ステップＳ８０９でＹＥＳ）、コントローラ１３０は、デジタルカメラ１００を動画記録中の静止画記録状態Ｄ７０４に遷移させる。その後、コントローラ１３０は上述したように各処理部を制御して静止画を撮影し（Ｓ８１０）、静止画撮影可能枚数Ｘを一だけ減らし（Ｓ８１１）、静止画の写真画素数と、更新された静止画撮影可能枚数Ｘとを液晶ディスプレイ１２３に表示する（Ｓ８１２）。これらの情報の表示を一定時間行った後、コントローラ１３０は、静止画撮影可能枚数Ｘに応じてデジタルカメラ１００を、動画記録中状態Ｄ７０１および動画記録中状態Ｄ７０５のいずれかに遷移させ（Ｓ８１３）、ステップＳ８０３に戻る。
【００５１】
一方、レリーズ釦２０１が全押下しされてないと判定されると（ステップＳ８０９でＮＯ）、レリーズ釦２０１は解放状態であるので、コントローラ１３０は、デジタルカメラ１００を動画記録中状態Ｄ７０１に遷移させ、ステップＳ８０３に戻る。
【００５２】
以上のように、実施の形態１のデジタルカメラ１００は、液晶ディスプレイ１２３と、動画記録中に静止画撮影を行うための撮影可能枚数計算処理および可否判定を制御するコントローラ１３０と、動画記録中に撮影した静止画の情報を保持するバッファメモリ１２４と、動画記録終了後に静止画の情報を出力するメモリカード１４０と、使用者による操作を受け付けて、動画記録の開始、終了と静止画の撮影を行う操作部１５０とを備える。また、デジタルカメラ１００は動画記録中に静止画撮影が可能な電子機器であり、静止画撮影を行った時に撮影した静止画の情報をバッファメモリ１２４に保持し、動画記録終了時にバッファメモリ１２４にある静止画の情報をメモリカード１４０に出力する。
【００５３】
コントローラ１３０は、バッファメモリ１２４に新たに記録可能な静止画の枚数が０であるときには、動画記録中に更なる静止画の撮影が不可能であることを示すアイコンを液晶ディスプレイ１２３に表示する。また、コントローラ１３０はバッファメモリ１２４の残容量から静止画の撮影可能枚数を計算し、液晶ディスプレイ１２３に表示する。
【００５４】
このように、本実施形態では、静止画撮影可能枚数すなわちバッファメモリ１２４に記録した静止画の枚数を考慮して、液晶ディスプレイ１２３に表示する情報の表示を制御することにより、記録媒体の残容量のみではなく、電子機器の制約をも考慮した情報の提示が可能となる。
【００５５】
１−３．まとめ
以上説明したように、実施の形態１のデジタルカメラ１００は動画撮影中に静止画撮影が可能なデジタルカメラであって、液晶ディスプレイ１２３と、使用者からの指示を受け付ける操作部１５０と、動画撮影動作中において操作部１５０がレリーズ釦の半押し操作を受け付けたときに、記録可能な静止画データの枚数に関する情報を液晶ディスプレイ１２３に表示させるコントローラ１３０とを備える。
【００５６】
このような構成によりデジタルカメラ１００は、使用者により所定の操作（レリーズ釦の半押し）がなされたときに、動画記録中において撮影が可能な静止画の残り枚数を通知することができる。この構成により、動画記録中において、所定の操作がなされる前は、動画記録時間等の情報を液晶ディスプレイ１２３に表示し、所定の操作がなされたときに、液晶ディスプレイ１２３に表示される情報を静止画撮影可能枚数に切り替えることが可能となる。これにより、液晶ディスプレイ１２３上には必要な情報のみが表示され、視認性が確保されるとともに、使用者は動画撮影中の所望のタイミングで静止画撮影可能枚数を確認でき、使用者の利便性を向上できる。
【００５７】
また、コントローラ１３０は、バッファメモリ１２４に記録可能な静止画データの枚数が０であるときには、静止画の撮影が不可能であることを示すアイコンを液晶ディスプレイ１２３に表示させる。この構成により、使用者は新たに静止画撮影ができないことを容易に確認できる。
【００５８】
また、デジタルカメラ１００は、使用者からの所定の指示を受け付ける操作部１５０を備え、コントローラ１３０は、レリーズ釦２０１の半押下等、操作部１５０が所定の指示を受け付けたときに、バッファメモリ１２４に記憶可能な静止画データの枚数に関する情報を液晶ディスプレイ１２３に表示させる。
【００５９】
２．その他の実施形態
上記実施の形態に限定されず、種々の実施の形態が考えられる。以下に他の実施の形態についてまとめて説明する。
【００６０】
実施の形態１では、バッファメモリ１２４に記録された静止画データは、動画記録動作終了時にメモリカード１４０に転送されたが、動画記録動作の途中においてメモリカード１４０に転送されてもよい。
【００６１】
実施の形態１では、撮像素子としてＣＣＤイメージセンサ１２０を例として用いたが、撮像素子はこれには限定されない。例えば、撮像素子として、例えばＣＭＯＳイメージセンサやＮＭＯＳイメージセンサなど、他の撮像素子を用いても良い。また、レリーズ釦２０１は、液晶ディスプレイ１２３上に設けられたタッチパネルによる操作など、他の手段を用いても良い。また、使用者に静止画の撮影可能枚数を通知することができるならば、動画記録中に写真画素数と静止画撮影可能枚数とを同時に表示せずに、静止画撮影可能枚数のみを表示しても良い。
【００６２】
実施の形態１では、写真画素数と静止画撮影可能枚数の組み合わせと、動画記録可能時間と動画記録時間の組み合わせとを液晶ディスプレイ１２３上に排他的に表示させた。しかし、一時的に、少なくとも写真画素数と静止画撮影可能枚数のいずれかと、少なくとも動画記録可能時間と動画記録時間のいずれかとを同時に液晶ディスプレイ１２３上に表示させてもよい。
【産業上の利用可能性】
【００６３】
本発明の思想は、デジタルカメラへの適用に限定されない。すなわち表示部を備え、動画記録中の静止画撮影機能を有する、ムービーカメラ、携帯電話などの電子機器に対して適用することができる。
【符号の説明】
【００６４】
１００  デジタルカメラ
１１１  フォーカスレンズ
１１２  ズームレンズ
１１３  絞り
１１４  シャッタ
１２０  ＣＣＤイメージセンサ
１２１  ＡＦＥ（Ａｎａｌｏｇ  Ｆｒｏｎｔ  Ｅｎｄ）
１２２  画像処理部
１２３  液晶ディスプレイ
１２４  バッファメモリ
１３０  コントローラ
１４０  メモリカード
１４１  カードスロット
１４２  フラッシュメモリ
１５０  操作部
２０１  レリーズ釦
２０２  ズームダイヤル
２０７  動画釦
【図１】
2011217369.tif 000003
【図２】
2011217369.tif 000004
【図３】
2011217369.tif 000005
【図４】
2011217369.tif 000006